(57)【要約】裏板を簡単な構造で確実に押さえることができ、また、透明パネルをフレームにあらかじめ取り付けておくことにより、保持対象物及び裏板を容易に着脱できる額縁を提供する。【解決手段】保持対象物４を間に挟持して積層される透明パネル３及び裏板５と、これら透明パネル及び裏板の周囲に配置されるフレーム２と、このフレームに装着されて上記裏板を押圧して上記フレームに固定する押さえ具７とを備える額縁１であって、上記フレームは、断面中空の枠状に形成されているとともに、背部に複数の押さえ具取付穴６を備え、上記押さえ具７は、上記裏板を押圧するアーム部７ｃと、上記アーム部を上記フレームに沿わせた退避姿勢において上記押さえ具取付穴に挿入できるとともに、上記裏板背部に延出して上記裏板を押圧する押圧姿勢において上記押さえ具取付穴に離脱不可能に係合する突起部７ａと、  上記アーム部と上記突起部との間に設けられて上記押さえ具取付穴に回動可能に保持される首部７ｂとを備える。【選択図】図６
0003150378.tif 000002
【実用新案登録請求の範囲】
【請求項１】
保持対象物を間に挟持して積層される透明パネル及び裏板と、これら透明パネル及び裏板の周囲に配置されるフレームと、このフレームに装着されて上記裏板を押圧して上記フレームに固定する押さえ具とを備える額縁であって、
上記フレームは、
断面中空の枠状に形成されているとともに、背部に複数の押さえ具取付穴を備え、
上記押さえ具は、
上記裏板を押圧するアーム部と、
上記アーム部を上記フレームに沿わせた退避姿勢において上記押さえ具取付穴に挿入できるとともに、上記裏板背部に延出して上記裏板を押圧する押圧姿勢において上記押さえ具取付穴に離脱不可能に係合する突起部と、
上記アーム部と上記突起部との間に設けられて上記押さえ具取付穴に回動可能に保持される首部とを備える、額縁。
【請求項２】
上記フレームは、
上記透明パネルの縁部を掛止できる掛止段部を備える枠状本体と、
上記裏板及び上記保持対象物を着脱可能に保持できる開口部を有するとともに、上記本体の背部から組み付けられて、上記透明パネルの縁部を上記掛止段部との間で挟圧固定できる枠状の背面部材とを備え、
上記押さえ具取付穴が上記背面部材に設けられている、請求項１に記載の額縁。
【請求項３】
上記透明パネルがガラス板である、請求項２に記載の額縁。
【請求項４】
上記首部に、上記押さえ具取付穴の縁部に弾性的に当接して、上記押圧姿勢を保持できる押圧姿勢保持手段を設けた、請求項１から請求項３のいずれか１項に記載の額縁。
【請求項５】
上記アーム部は、上記押さえ具取付穴を覆う大きさを備える、請求項１から請求項４のいずれか１項に記載の額縁。
【請求項６】
上記突起部を上記押さえ具取付穴に挿入する際、この押さえ具開口部の縁部に当接して弾性的に変形させられるとともに、挿入後に上記突起部が上記押さえ具取付穴から離脱するのを防止する離脱防止手段を備える、請求項１から請求項５のいずれか１項に記載の額縁。
【請求項７】
上記背面部材に、筒状の脚部取付穴を設ける一方
上記脚部取付穴に一端部が嵌合させられるとともに、上記背面部材から後方へ延出して、上記フレームを所定角度で起立させて保持できる脚部材を備える、請求項２から請求項６のいずれか１項に記載の額縁。
【請求項８】
上記背面部材に上記脚部材を収容できる溝部を設けた、請求項７に記載の額縁。
【考案の詳細な説明】
【技術分野】
【０００１】
本願考案は、保持対象物を容易に着脱できるとともに、フレームを起立状態に保持できる額縁に関する。
【背景技術】
【０００２】
一般的な、額縁は、矩形状に形成されたフレームの内側縁部に段部を設け、この段部に保持対象物を挟持した透明パネルと裏板とを保持できるように構成されている。上記透明パネルと上記裏板とを上記フレームに着脱可能に保持できるように、上記フレームに複数の押さえ具が回転可能に保持されている。従来の額縁は木製のものが多く、上記押さえ具は釘等によって回転可能に保持されることが多い。
【特許文献１】実用新案登録第３０５７３５７号
【０００３】
上記特許文献１には、額縁の裏板を一定の圧力で圧着し、所定の位置に安定して静止する金具が開示されている。
【考案の開示】
【考案が解決しようとする課題】
【０００４】
上記特許文献１に記載されている額縁においては、裏板止め金具の一端をＵ字型とし、その部分をビス止めし、上記Ｕ字のバネを利用して、裏板を弾性的に押圧するように構成されている。
【０００５】
上記構造の額縁では、フレームを、ビス等を取り付けることのできる中実状の材料から形成しなければならない。このため、重量が大きくなるばかりでなく、コストも増加する。また、フレームの内部を中空に形成したプラスチック製の軽量な額縁に適用するには、補強部材を設けなければならない。さらに、上記ビスを正確な位置に設けなければならないため、製造する際の手間も増加する。
【０００６】
また、上記透明パネルとしてガラス板が用いられることが多い。ところが、上記ガラス板と上記裏板との間に保持対象物を挟んで上記額縁に収容するのは面倒である。しかも、ガラス板は割れやすいため細心の注意を要する。しかも、上記ガラス板の周縁部や角部の面取りが不十分であると、着脱の際に手指を傷つける恐れがある。一方、プラスチック製の透明パネルを採用することもできるが、表面が傷つきやすい。また、高級感を出すことはできない。
【０００７】
本願考案は、上述の事情のもとで考えだされたものであって、上記従来の問題を解決し、裏板を簡単な構造で確実に押さえることができ、また、透明パネルをフレームにあらかじめ取り付けておくことにより、保持対象物及び裏板を容易に着脱できる額縁を提供するものである。
【課題を解決するための手段】
【０００８】
本願考案は、保持対象物を間に挟持して積層される透明パネル及び裏板と、これら透明パネル及び裏板の周囲に配置されるフレームと、上記裏板を押圧して上記フレームに固定する押さえ具とを備える額縁に関するものである。
【０００９】
本願考案に係る額縁のフレームは、断面中空の枠状に形成されているとともに、背部に複数の押さえ具取付穴を備える。上記押さえ具は、上記裏板を押圧するアーム部と、上記アーム部を上記フレームに沿わせた退避姿勢において上記押さえ具取付穴に挿入できるとともに、上記裏板背部に延出して上記裏板を押圧する押圧姿勢において上記押さえ具取付穴に離脱不可能に係合する突起部と、上記アーム部と上記突起部との間に設けられて上記押さえ具取付穴に回動可能に保持される首部とを備えて構成される。
【００１０】
上記フレームには、上記透明パネルを掛止できる内側段部が設けられている。保持対象物は、上記段部に掛止された上記透明パネルと上記裏板との間で挟圧されることにより、上記額縁の内側に保持される。
【００１１】
本願考案に係る上記フレームは、全体が中空状に形成されている。このため、軽量化を図ることができるとともに、プラスチック等で製作する場合の材料コストを削減することができる。
【００１２】
また、本願考案では、上記フレーム背部に押さえ具取付穴を設け、この押さえ具取付穴に押さえ具を保持して、上記裏板を弾性的に押圧できるように構成している。
【００１３】
本願考案に係る上記押さえ具は、上記裏板を押圧するアーム部と、上記取付穴に保持される首部を介して形成された突起部とを備える。上記突起部は、上記アーム部を上記フレームに沿わせた退避姿勢において上記押さえ具取付穴に挿入できるとともに、上記裏板の背部に延出して上記裏板を押圧する押圧姿勢において上記押さえ具取付穴に離脱不可能に係合するように構成される。
【００１４】
本願考案に係る上記押さえ具は、上記突起を上記押さえ具取付穴に挿入して回動させるだけで、上記フレームに取り付けることができる。このため、押さえ具を取り付けるためにネジ等の他の部材を用いる必要はなく、部品点数を削減できる。また、押さえ具をフレームに容易に組み付けることができるため、組立作業を簡単に行うことができる。
【００１５】
上記押さえ具は、上記押圧姿勢において上記裏板を弾性的に押圧し、上記裏板と上記透明パネルとの間に保持された保持対象物を所定位置に確実に挟圧保持することができる。
【００１６】
上記押さえ具は、樹脂で一体形成するのが好ましい。成形方法は特に限定されることはなく、射出成形等種々の手法を用いて形成することができる。また、上記押さえ具は、押圧姿勢において、上記裏板を弾性的に押圧できるように構成するのが望ましい。
【００１７】
請求項２に記載した考案は、上記フレームを、上記透明パネルの縁部を掛止できる掛止段部を備える枠状本体と、上記裏板及び上記保持対象物を着脱可能に保持できる開口部を有するとともに、上記本体の背部から組み付けられて、上記透明パネルの縁部を上記掛止段部との間で挟圧固定できる枠状の背面部材とを備えて構成し、上記押さえ具取付穴を、上記背面部材に設けたものである。
【００１８】
透明パネルと裏板の間に保持対象物を挟持するタイプの額縁においては、上記裏板と透明パネルの双方をフレームに対して着脱可能に保持し、これらの間に保持対象物を挟持させて一体化した後にフレームに収容することが多かった。
【００１９】
ところが、上記構成では、保持対象物を着脱するのに透明パネルまで取り外す必要があり、着脱作業が面倒であるという問題があった。一方、中空状のフレーム全体を樹脂で一体形成するのは困難であった。
【００２０】
また、保持対象物を見栄えよく展示するには、透明パネルとしてガラス板を採用するのが好ましい。ところが、透明パネルが上記裏板とともに容易に外れる構成では、保持対象物を交換等する場合に、ガラス板が不用意にフレームから脱落し、破損する恐れがあった。また、ガラス板の周縁部や角部の面取り加工が不十分であると、手指を傷つける恐れもあった。このため、樹脂製フレームを備える額縁においては、樹脂製の透明パネルが採用されることが多く、額縁に高級感を出すことが困難であった。
【００２１】
本願考案では、フレーム本体とこれに一体的に組み付けられる背面部材とからフレームを構成し、透明パネルをこれらフレーム本体と上記背面部材との間に一体的に挟圧固定する。一方、上記背面部材には、保持対象物及び裏板を着脱可能に収容する開口部が設けられているとともに、この背面部材に上記押さえ具が取り付けられるため、上記透明パネルをフレームから外すことなく、裏板及び保持対象物をフレームに対して着脱することが可能となる。このため、保持対象物や裏板の着脱作業を容易に行うことができる。
【００２２】
透明パネルを上記フレーム本体と上記背面板との間で一体的に挟圧固定しているため、保持対象物や裏板を着脱する際に、透明パネルがフレームから脱落したり、透明パネルの縁部が手指に触れることもない。これにより、請求項３に記載した考案のように、透明パネルとしてガラス板を採用することが可能となった。また、フレームを枠状本体と背面部材とに分割して製作することにより、金型等の構造が簡単化できるとともに、背面部材に、種々の機能を付加することが可能となった。
【００２３】
請求項４に記載した考案は、上記首部に、上記押さえ具取付穴の縁部に弾性的に当接して、押圧姿勢を保持できる押圧姿勢保持手段を設けたものである。
【００２４】
上記押さえ具は、首部を介して、上記押さえ具取付穴に回動可能に保持される。押さえ具が不用意に回動すると、裏板及び保持対象物がフレームから外れる恐れがある。本願考案では、上記首部を利用して、押さえ具の押圧姿勢を保持できるように構成している。
【００２５】
上記押圧姿勢保持手段の構成は特に限定されることはない。たとえば、押さえ具を弾性変形可能な樹脂で形成するとともに、首部の対向する縁部が、上記押さ- え具取付穴の対向縁部間の幅に対応した幅に設定することにより、押圧姿勢において上記首部の対向縁部が上記押さえ具取付穴の対向縁部に弾性的に挟持させて、上記押圧姿勢を保持することが可能となる。また、上記突起部及び上記首部の中央部にスリットを形成し、押圧姿勢にあるときに上記首部が押さえ具取付穴の縁部に当接して弾性変形するように構成することもできる。あるいは、上記押さえ具取付穴に係合凹部又は係合凸部を設ける一方、上記首部に上記係合凹部又は係合凸部に係合する係合凸部又は係合凹部を設けて、これらを押圧姿勢において違いに係合するように構成することにより、上記押さえ具を押圧姿勢に保持できる。これら押圧姿勢保持手段を設けることにより、押さえ具が不用意に回動することはなくなり、裏板を確実に押圧保持できる。
【００２６】
請求項５に記載した考案は、上記アーム部を、上記押さえ具取付穴を覆う大きさに形成したものである。この構成を採用することにより、上記アーム部によって押さえ具取付穴が覆われるため、外観見栄えが向上する。
【００２７】
請求項６に記載した考案は、上記突起部を上記押さえ具取付穴に挿入する際、この押さえ具取付穴の縁部に当接して弾性的に変形させられるとともに、挿入後に上記突起部が上記押さえ具取付穴から離脱するのを防止する離脱防止手段を設けたものである。
【００２８】
上記押さえ具は、押圧姿勢においては、上記突起部が上記押さえ具取付穴に係合するため、上記押さえ具取付穴から離脱することはない。しかし、裏板を外すために退避姿勢をとらせた場合、上記押さえ具取付穴から離脱する恐れがある。上記離脱防止手段を設けることにより、上記退避姿勢においても上記押さえ具が上記押さえ具取付穴から離脱することはなくなる。
【００２９】
上記離脱防止手段として、押さえ具を押さえ具取付穴に挿入する際弾性的に変形させられる一方、突起部を挿入した後には上記弾性力によって押さえ具が上記押さえ具取付穴から離脱するのを防止する突起等を設けて構成することができる。なお、上記離脱防止手段は、押さえ具が不用意に離脱するのを防止できるように構成すればよく、離脱不可能に係合させる必要はない。
【００３０】
請求項７に記載した考案は、上記背面部材に、筒状の脚部取付穴を設ける一方、上記脚部取付穴に一端部が嵌合させられるとともに、上記背面部材から後方へ延出して、上記フレームを所定角度で起立させて保持できる脚部材を設けたものである。
【００３１】
本請求項に記載した考案は、上記背面部材に、額縁を起立して保持できる脚部材を設けたものである。
【００３２】
上記脚部材は、一端部を上記脚部取付穴に嵌合させるだけで、上記フレームに付属させることができる。また、上記脚部材は、容易に着脱することができるように構成されているため、吊り具等を利用する場合に取り外すことができる。したがって、邪魔になることはない。上記脚部材の数も特に限定されることはなく、１以上の脚部材を装着できるように構成できる。また、フレームを縦方向と横方向の選択した方向に起立させることができるように、フレームの複数箇所に上記脚部取付穴を設けるのが好ましい。なお、上記背面部材を採用する場合には、この背面部材に上記脚部取付穴を形成することができる。
【００３３】
また、請求項８に記載した考案のように、上記背面部材に、上記脚部材を収容できる溝部を設けたものである。脚部材をフレームに収容できるように構成することにより、工場出荷時や販売時に上記保持部材が嵩張ることはない。また、不使用時に収容できるため、邪魔になることもない。
【考案の効果】
【００３４】
中空形態のフレームを利用することにより、他の部材を用いることなく、押さえ具及び起立部材を容易に取り付けることができる。
【考案を実施するための最良の形態】
【００３５】
以下、本願考案に係る額縁を図に基づいて具体的に説明する。
【００３６】
図１及び図２に示すように、本実施形態に係る額縁１は、正面視矩形状に形成されており、開口部２ｃを有する矩形枠状のフレーム２と、上記開口部２ｃに嵌め込み固定される透明パネル３及び裏板５と、この裏板５を背面側から押圧する押さえ具７とを備えて構成される。上記透明パネル３と上記裏板５の間に写真等の保持対象物４が挟持されている。
【００３７】
図３に示すように、上記フレーム２は、背部に向けて開口する中空状に形成された枠状本体２ａと、この開口を覆うように組み付けられる背面部材２ｂとを備えて構成されている。上記枠状本体２ａ及び上記背面部材２ｂは、それぞれ樹脂で一体形成されている。
【００３８】
上記枠状本体２ａの内側部には、段部１４ａが形成されており、この段部１４ａには、上記保持対象物４を挟持する上記透明パネル３の縁部が掛止される。一方、上記背面部材２ｂの内側部には、組み付け状態で透明パネルの周縁部を上記段部との間で挟圧固定する押圧部１４ｂが形成されている。これにより、上記透明パネル３は、縁部が上記枠状本体２ａと上記背面部材２ｂとの間に挟み込まれて、上記フレーム２に一体的に保持される。また、上記枠状本体２ａの内壁に掛止突起１５ｂを設ける一方、上記背面部材に上記掛止突起１５ｂに係合する係合凹部１５ａを設け、上記背面部材を上記枠状本体の開口部に嵌め込むだけで、上記係合突起１５ｂと上記係合凹部１５ａとが係合して、上記透明パネル３を挟持した状態で一体化できるように構成している。このため、透明パネル３を一体的に保持したフレーム２を極めて容易に形成することができる。
【００３９】
図５に示すように、上記背面部材２ｂの上記押圧部１４ｂの内側は、上記裏板５を嵌め込む寸法に形成されている。これにより、上記透明パネル３の背面側に保持対象物を挿入して上記裏板５を嵌め込むことにより、上記保持対象物４がフレーム２に保持される。
【００４０】
上記構成を採用することにより、保持対象物４をフレームに着脱する際に、上記透明パネル３がフレーム２から離脱することはなくなる。また、上記透明パネルの縁部が上記フレームによって覆われる。したがって、上記透明パネルにガラス板を採用しても、手指を傷つける恐れはない。また、着脱する際にガラス板がフレームから不用意に離脱して損傷を受ける恐れもない。さらに、裏板５のみ取り外すことによって、保持対象物を着脱できるため、保持対象物の着脱作業を容易に行うことができる。
【００４１】
図２に示すように、上記背面部材２ｂには、裏板５の各縁部を２箇所で押圧保持するために、８つの押さえ具７が設けられている。
【００４２】
本実施形態では、上記背面部材２ｂに、上記押さえ具７を取り付けるための押さえ部取付穴６を８箇所に設けている。図９から図１１に示すように、上記押さえ部取付穴６は、本体枠部の延びる方向に長辺を配置した平面視矩形状に形成されている。
【００４３】
上記押さえ具７は、上記裏板２ｂを押圧するアーム部７ｃと、上記押さえ具取付穴６に挿入される突起部７ａと、上記アーム部７ｃと上記突起部７ａとの間に形成された首部７ｂとを備えて構成される。上記押さえ具７は、弾性変形しうる樹脂材料によって一体成形されている。
【００４４】
上記アーム部７ｃは、上記首部７ｂから、上記フレームの開口部に延出する長さに形成されているとともに、先端部が、開口部２ｃに向けて湾曲させられている。これにより、アーム部７ｃを上記フレーム２から内側に延出させた押圧姿勢において、上記裏板の背面に当接して弾力を作用させることができる。上記突起部７ａは、上記押さえ具取付穴６に対応した断面矩形状に形成されている。上記首部７ｂは、上記アーム部７と上記突起部７ａとの間に一体形成されているとともに、上記押さえ具取付穴６内で回転しうる断面矩形状に形成されている。上記首部７ｂは、上記押さえ具取付穴内で回動可能な形態に形成されており、図８に示すように、上記アーム部７ｃが、上記フレーム２の縁部に沿う退避姿勢と、上記裏板５の背面に延出する押圧姿勢の間で回動可能に保持されている。
【００４５】
図９及び図１０に示すように、上記突起部７ａは、上記アーム部７ｃを上記背面部材２ｂに沿う退避姿勢において、上記押さえ具取付穴６に挿入できるように形成されている。一方、図１１に示すように、上記アーム部７ｃを上記背面部材２ｂからフレーム２の内側に延出させた押圧姿勢においては、突起部７ａの長手方向縁部が、上記押さえ具取付穴６の縁部に係合して、押さえ具７が背面部材２ｂに離脱不可能に保持されるように構成されている。
【００４６】
また、図１２及び図１３に示すように、上記首部７ｂは、矩形断面の長手方向寸法が、上記押さえ具取付穴６の短辺間の寸法に対応する矩形断面に形成されている。このため、図１３に示すように、上記アーム部７ｃが裏板５を押圧する押圧姿勢において、上記首部７ｂの短辺が上記押さえ具取付穴６の長辺に弾性的に当接させられて、押圧姿勢を保持できるように構成されている。これにより、上記押さえ具７が裏板５を押圧する姿勢において不用意に回動することはなく、裏板５及び保持対象物４を確実に挟圧保持することができる。
【００４７】
上記構成を採用することにより、上記押さえ具取付穴６と上記押さえ具７のみで、上記裏板５を確実に押圧保持することができる。このため、製造コストを低減させることができる。
【００４８】
さらに、図１４に示すように、本実施形態では、上記背面部材２ｂに、筒状の脚部取付穴８を設けるとともに、この脚部取付穴８にフレーム２を起立状態で保持できる脚部材９を装着できるように構成している。
【００４９】
上記脚部材９は、上記脚部取付穴８に嵌合させられる嵌合部９ａと、後方へ延出する脚部９ｂとを備える。上記脚部９ｂは、上記嵌合部９ａと所定の角度をもって延出形成されており、上記フレーム２を所定の角度で起立状態に保持できる。上記構成を採用することにより、上記脚部取付穴８に、上記嵌合部９ａを嵌合させるだけで、フレームを起立して保持できる。
【００５０】
さらに、図７及び図１５に示すように、本実施形態では、上記背面部材２ｂに、上記脚部材９を収容保持できる溝部２５が形成されている。また、収容された上記脚部材９を溝内に掛止する突起部２５ａが設けられている。これにより、上記脚部材９を上記溝に押し入れて収容することが可能となる。これにより、搬送過程や販売時、さらに不使用時には、上記フレーム２の溝部１５内に、上記脚部材を収納することができる。このため、上記不使用時等に上記脚部材９が邪魔になることはなく、また、紛失する恐れもなくなる。しかも、上記脚部材９の収納構造は、上記背面部材２ｂに溝部２５を設けるだけで構成できるため、コストが増加することもない。
【００５１】
さらに、本願考案では、図２に示すように、上記背面部材の適部に、吊り具を掛止できる掛止孔１６を設けている。
【００５２】
上記掛止穴１６を設けることにより、種々の吊り具を利用して壁面等に額縁１を容易に固定することができる。
【００５３】
本願考案は、上述の実施形態に限定されることはない。実施形態では、押さえ具を８箇所に設けたが、押さえ部の数はフレームの大きさ等によって変更することができる。また、脚部材の形態及び取付位置等も実施形態に限定されることはなく、種々の形態を採用できる。
【産業上の利用可能性】
【００５４】
裏板を確実に押圧保持できるとともに、安価な額縁を提供することができる。
【図面の簡単な説明】
【００５５】
【図１】本願考案に係る額縁の正面図である。
【図２】図１に示す額縁の背面図である。
【図３】枠状本体と背面部材と透明パネルとを組み付ける前の状態を示す図であり、図２におけるＩＩＩ−ＩＩＩ線に沿う断面図である。
【図４】枠状本体と背面部材と透明パネルとを組み付けた後の状態を示す図であり、図２におけるＩＩＩ−ＩＩＩ線に沿う断面図である。
【図５】保持対象物と裏板と押さえ具とを装着する前の状態を示す図であり、図２におけるＶ−Ｖ線に沿う端面図である。
【図６】保持対象物と裏板と押さえ具とを装着した後の状態を示す図であり、図２におけるＶ−Ｖ線に沿う端面図である。
【図７】脚部材を収納した状態を示す図であり、図２におけるＶＩＩ−ＶＩＩ線に沿う端面図である。
【図８】押さえ具の動き示す図であり、図２の要部拡大図である。
【図９】押さえ具の取付手順を示す斜視図である。
【図１０】押さえ具の取付手順を示す斜視図である。
【図１１】押さえ具の取付手順を示す斜視図である。
【図１２】図１０におけるＸＩＩ−ＸＩＩ線に沿う断面図である。
【図１３】図１０におけるＸＩＩＩ−ＸＩＩＩ線に沿う断面図である。
【図１４】脚部材の装着状態を示す図であり、図１に示すフレームの一部断面を示す右側面図である。
【図１５】脚部材をフレームに収容した状態を示す要部背面図である。
【符号の説明】
【００５６】
１  額縁
２  フレーム
３  透明パネル
４  保持対象物
５  裏板
６  押さえ具取付穴
７  押さえ具
７ｃ  アーム部
７ａ  突起部
７ｂ  首部
【図１】
0003150378.tif 000003
【図２】
0003150378.tif 000004
【図３】
0003150378.tif 000005
【図４】
0003150378.tif 000006
【図５】
0003150378.tif 000007
【図６】
0003150378.tif 000008
【図７】
0003150378.tif 000009
【図８】
0003150378.tif 000010
【図９】
0003150378.tif 000011
【図１０】
0003150378.tif 000012
【図１１】
0003150378.tif 000013
【図１２】
0003150378.tif 000014
【図１３】
0003150378.tif 000015
【図１４】
0003150378.tif 000016
【図１５】
0003150378.tif 000017